(57)【要約】【課題】電子部品が設けられるベース部材を所望の形状にしつつ、当該ベース部材の所望の位置に電子部品を固定できる遊技機を提供する。【解決手段】遊技機は、複数の電子部品３１，３２が固定されるベース部材３４を備え、ベース部材３４は、第一の電子部品３１が固定される第一の平面６５ａと、第二の電子部品３２が設けられる平面であって第一の平面６５ａの面方向と交差する第二の平面６５ｂと、を有し、第二の電子部品３２は、ベース部材３４とは別体の固定部材３５に固定されることによって、第二の平面６５ｂに固定されているので、電子部品が設けられるベース部材を所望の形状にしつつ、ベース部材の所望の位置に電子部品を固定できる、【選択図】図６
2019080669.tif 000002
【特許請求の範囲】
【請求項１】
複数の電子部品が固定されるベース部材を備える遊技機であって、
前記ベース部材は、第一の前記電子部品が固定される第一の平面と、第二の前記電子部品が設けられる平面であって前記第一の平面の面方向と交差する第二の平面と、を有し、
前記第二の電子部品は、前記ベース部材とは別体の固定部材に固定されることによって、前記第二の平面に固定されていることを特徴とする遊技機。
【請求項２】
複数の電子部品が固定されるベース部材を備える遊技機であって、
前記ベース部材は、前記複数の電子部品が設けられる曲面を有し、
前記曲面に設けられる前記複数の電子部品のうちの少なくとも一つは、前記ベース部材とは別体の固定部材に固定されることによって、前記曲面に固定されていることを特徴とする遊技機。
【発明の詳細な説明】
【技術分野】
【０００１】
本発明は、遊技機に関する。
【背景技術】
【０００２】
スロットマシンやパチンコ遊技機等の遊技機は、例えば、照明基板等の電子部品を備えている。また、遊技機の電子部品は、電子部品が設けられるベース部材等に固定されて所定の位置に配置されている。また、ベース部材に設けられる電子部品は、ベース部材の有するボスにネジ止めされる等して、ベース部材に固定されている。また、ベース部材としては、特許文献１に記載のもののように湾曲したものも知られている。
【先行技術文献】
【特許文献】
【０００３】
【特許文献１】特開２０１３−１８８３９０号公報
【発明の概要】
【発明が解決しようとする課題】
【０００４】
ところで、例えば、ベース部材の湾曲する面に複数の電子部品を固定しようとした場合や、互いに異なる方向を向く複数の面のそれぞれに電子部品を固定しようとした場合等に、電子部品を固定するためのボス等を成形できないことがある。すなわち、湾曲した面や複数の面に電子部品を固定しようとした場合、様々な方向を向くボス等が必要となることがあるが、このようなボスを備えるベース部材を金型成形により作ろうとすると、金型を抜く方向とボスの突出する方向とが異なってしまうことにより金型を抜くことができず、うまく成形できないことがある。したがって、従来は、ベース部材を所望の形状としつつ、このベース部材の所望の位置に電子部品を固定できるようにするのが困難という問題があった。
【０００５】
本発明は、前記事情に鑑みてなされたもので、電子部品が設けられるベース部材を所望の形状にしつつ、当該ベース部材の所望の位置に電子部品を固定できる遊技機を提供することを目的とする。
【課題を解決するための手段】
【０００６】
前記目的を達成するために、本発明の遊技機は、複数の電子部品が固定されるベース部材を備える遊技機であって、前記ベース部材は、第一の前記電子部品が固定される第一の平面と、第二の前記電子部品が設けられる平面であって前記第一の平面の面方向と交差する第二の平面と、を有し、前記第二の電子部品は、前記ベース部材とは別体の固定部材に固定されることによって、前記第二の平面に固定されていることを特徴とする。
【０００７】
このような構成によれば、ベース部材に固定される電子部品のうち、第二の平面に固定される電子部品は、ベース部材とは別体の固定部材に固定されることによって、第二の平面に固定される。よって、第二の平面については、電子部品を固定するためのボス等を設ける必要がなくなる。すなわち、互いに面方向が交差する第一の平面と第二の平面との両方に、電子部品を固定するためのボス等を設ける必要がなくなる。したがって、ベース部材を互いに面方向が交差する複数の平面を有するような所望の形状にしつつ、当該ベース部材の所望の位置に電子部品を設けることができる。
なお、第一の平面についても、電子部品が固定部材に固定することによって第一の平面に固定されていてもよい。
【０００８】
また、本発明の遊技機は、複数の電子部品が固定されるベース部材を備える遊技機であって、前記ベース部材は、前記複数の電子部品が設けられる曲面を有し、前記曲面に設けられる前記複数の電子部品のうちの少なくとも一つは、前記ベース部材とは別体の固定部材に固定されることによって、前記曲面に固定されていることを特徴とする。
【０００９】
このような構成によれば、ベース部材の曲面に固定される電子部品のうち、少なくとも一つは、ベース部材とは別体の固定部材に固定されることによって曲面に固定される。よって、ベース部材の曲面のうち、電子部品を固定するためのボス等を設けることが困難な部分については、当該ボス等を設ける必要がなくなる。したがって、ベース部材を曲面を有するような所望の形状にしつつ、当該ベース部材の所望の位置に電子部品を固定することができる。
【発明の効果】
【００１０】
本発明の遊技機によれば、電子部品が設けられるベース部材を所望の形状にしつつ、当該ベース部材の所望の位置に電子部品を固定できる。
【図面の簡単な説明】
【００１１】
【図１】本発明の実施の形態に係る遊技機の一例を示すもので、その斜視図である。
【図２】同、照明装置を示す分解斜視図である。
【図３】同、照明基板を示すもので、（ａ）は第一照明基板の斜視図、（ｂ）は第二照明基板の斜視図、（ｃ）は第三照明基板の斜視図である。
【図４】同、ベース部材を示すもので、右前側から見た斜視図である。
【図５】同、固定部材を示すもので、（ａ）は前側から見た斜視図、（ｂ）は後側から見た斜視図である。
【図６】同、第二照明基板のベース部材への取り付け状態を示すもので、左側からみた断面図である。
【図７】同、照明基板のベース部材への取り付け状態を示すもので、右前側から見た斜視図である。
【図８】同、照明基板のベース部材への取り付け状態を示すもので、左後側から見た斜視図である。
【発明を実施するための形態】
【００１２】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１３】
まず、発明が適用されるスロットマシンＸの概略構成について説明する。
図１はスロットマシンＸを示す斜視図である。このスロットマシンＸは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１４】
また、筐体１の正面には、筐体１の正面開口部を開閉可能に閉塞する前扉３が設けられている。
前記筐体１内には、図示は省略するが、リールユニットや基板ユニット等が設けられている。リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＸの遊技を制御するための遊技制御装置として機能する。
【００１５】
図１に示すように、前扉３の上部中央には、平板状のパネル４が設けられている。また、パネル４は、その中央部に形成された透明な表示窓５と、表示窓５を囲うように形成され、絵柄が描かれた（印刷された）意匠部６とを備えている。
【００１６】
表示窓５の奥には、前記３個の回転リールが横一列に設けられている。そして、表示窓５を通して回転リールの一部が視認可能となっている。各回転リールの外周面には複数種類の図柄が配列されており、回転リールが停止すると表示窓を通して１リール当たり３個の図柄が表示される。そして、３個の回転リールが停止したときに表示窓を通して表示される図柄の組み合わせによって当選役が入賞したか否かが表示される。
【００１７】
意匠部６の背面側には、照明用の光源（ＬＥＤ）が設けられており、この光源からの光によって意匠部６に描かれた絵柄が背後から照らされるようになっている。また、前扉３のパネル４の上部には、報知や演出などを行うための照明装置７が設けられている。また、前扉３の左右両端部には、報知や演出などを行うための照明装置８，８が設けられている。
【００１８】
また、前扉３は、筐体１にヒンジを介して回動可能に連結されることで、筐体１の開口部を開閉するようになっている。
なお、前扉３は、上側部分と下側部分とで分かれている等、複数の扉に分かれているものであってもよい。また、スロットマシンＸは、遊技店における機種の交換時に筐体１、前扉３の下側部分および筐体１内の電源ユニットやホッパーユニット等が遊技店の島設備に取り付けられたままで、前扉３の上側部分およびリールユニット等が交換可能ないわゆる分離型筐体タイプのものであってもよい。
【００１９】
また、前扉３の上下方向中央部には、スロットマシンＸを操作するための操作部１０が設けられている。また、操作部１０には、クレジットされたメダルを払い出すための精算スイッチ１１、１枚のメダルをゲームに投資するときに操作される１ベットボタン１２、３枚（最大数）のメダルをゲームに投資するときに操作されるＭＡＸベットボタン１３、ゲームを開始させるためのスタートレバー１４、回転リールの回転を停止させるためのストップスイッチ１５、メダルを投入するためのメダル投入口１６、メダル投入口１６の下方のメダル通路内で発生したメダル詰まりを解消するリジェクトボタン１７等が設けられている。
【００２０】
また、前扉３の下端部には、スロットマシン内部よりメダルを排出するためのメダル払い出し口と、メダル払い出し口から排出されたメダルを溜めておくためのメダル受け皿１８とが形成されている。また、操作部１０とメダル受け皿１８との間には遊技機の外観を装飾するための下パネル２０が設けられている。また、下パネル２０の背面側には、照明用の光源（ＬＥＤ）が設けられており、この光源からの光によって下パネル２０が背後から照らされるようになっている。
【００２１】
次に照明装置８について説明する。なお、右側の照明装置８と左側の照明装置８とは、ほぼ同様の構成となっているため、以下では、右側の照明装置８について説明する。
照明装置８は、図１および図２に示すように、側面視において、上下方向中央部が後方に向かうように湾曲した形状となっている。換言すると、照明装置８は、後側に凸となる弓状となっている。また、照明装置８は、図２に示すように、３つの照明基板（第一照明基板３１、第二照明基板３２、第三照明基板３３）と、ベース部材３４と、２つの固定部材３５，３５と、レンズ部材３７と、２つの飾り部材３８，３９とを備えている。
【００２２】
３つの照明基板３１〜３３は、上下に長尺な帯板状となっている。そして、３つの照明基板３１〜３３は、その長辺を上下方向に向けた状態で上下に一列に並べて配置されている。具体的には、上下方向中央部に第一照明基板３１（第一の電子部品）が配置されており、この第一照明基板３１を挟んで上側に第二照明基板３２（第二の電子部品）、下側に第三照明基板３３（第三の電子部品）がそれぞれ配置されている。また、照明基板３１〜３３の前面には、図３に示すように、複数のＬＥＤ４０（光源）が上下に一列に並べて配置されている。また、照明基板３１〜３３の後面には、照明基板３１〜３３に電源を送るための配線や、ＬＥＤ４０を点滅させるための制御信号を送るための配線が接続されるコネクタ４１が設けられている（図８参照）。
【００２３】
第一照明基板３１は、図３（ａ）に示すように、上下両端部に、ネジを挿通させるためのネジ挿通孔４５を備えている。また、第一照明基板３１は２つのネジ挿通孔４５の間に、上下に離間して設けられた２つの孔４６を備えている。また、第一照明基板３１には、右辺部の中央部に、左方に向けて切り欠かれた形状の切り欠き部４７が形成されている。
また、第二照明基板３２は、図３（ｂ）に示すように、その上下方向中央部に、ネジを挿通させるためのネジ挿通孔５０を備えている。また、第二照明基板３２は、ネジ挿通孔５０を挟んで上下に離間して設けられた２つの孔５１を備えている。また、第二照明基板３２には、右辺部の上部に、左方に向けて切り欠かれた形状の切り欠き部５２が形成されている。
また、第三照明基板３３は、図３（ｃ）に示すように、その上下方向中央部に、ネジを挿通させるためのネジ挿通孔５５を備えている。また、第三照明基板３３は、ネジ挿通孔５５を挟んで上下に離間して設けられた２つの孔５６を備えている。また、第三照明基板３３には、その右下端部を矩形状に切り欠いた形状の切り欠き部５７が形成されている。
また、照明基板３１〜３３のネジ挿通孔４５，５０，５５および孔４６，５１，５６は、上下に一列に並べられたＬＥＤ４０の列に対して左右にずれて配置されている。
【００２４】
ベース部材３４は、白色の合成樹脂により一体的に成形されている。そして、ベース部材３４は、照明基板３１〜３３からの光を前側（レンズ部材３７側）に向けて反射するリフレクタとなっている。
ベース部材３４は、図４に示すように、上下に長尺な板状の背板６５と、この背板６５の左縁および右縁から前方に延びるようにして設けられた側壁部６６，６６とを備えている。また、側壁部６６は、照明装置８の外観と同様の形状に湾曲している。すなわち、側壁部６６は、側面視において、上下方向中央部が後方に向かうように湾曲した形状となっている。また、ベース部材３４の上下両端部には、それぞれ、レンズ部材３７を取り付けるための取付部６８，６９が設けられている。そして、ベース部材３４は、背板６５、左右の側壁部６６，６６、上下の取付部６８，６９に囲われた上下に長尺な箱形となっている。
【００２５】
背板６５は、その上下方向中央部分（背板中央部６５ａ）が、上下に真っ直ぐ延びる平板状となっている。また、背板６５は、背板中央部６５ａの上側部分（背板上部６５ｂ）が、上側ほど前側に向かうように背板中央部６５ａに対して傾斜した平板状となっている。また、背板６５は、背板中央部６５ａの下側部分（背板下部６５ｃ）が、下側ほど前側に向かうように背板中央部６５ａに対して傾斜した平板状となっている。すなわち、背板中央部６５ａと背板上部６５ｂと背板下部６５ｃとは、互いに面方向が交差している。そして、背板６５は、全体として、照明装置８および側壁部６６の湾曲形状に沿った形となっている。すなわち、背板６５は、照明装置８および側壁部６６の形状に沿うように、複数の平面を有する形となっている。
【００２６】
また、３つの照明基板３１〜３３は、背板６５の前面側に配置され、箱形のベース部材３４の内側に収容されている。具体的には、第一照明基板３１は、背板中央部６５ａの前面側に配置され、第二照明基板３２は、背板上部６５ｂの前面側に配置され、第三照明基板３３は、背板下部６５ｃの前面側に配置されている（図２参照）。
【００２７】
背板中央部６５ａには、ネジ孔を有する２つのボス７０が上下に離間して設けられている。また、２つのボス７０は、その前端面が背板中央部６５ａの前面からわずかに突出した状態となっているとともに、その後部が背板中央部６５ａの背面から突出した状態となっている。また、背板中央部６５ａには、２つのボス７０の間に、前方に突出する２つの突起部７１が上下に離間して設けられている。また、背板中央部６５ａの前面には、複数のリブ７２が、左右の側壁部６６それぞれから内側に延びるようにして立設されている。また、ボス７０の前端面とリブ７２の前端面とは、面一となっている。また、突起部７１の前端面は、ボス７０およびリブ７２の前端面よりも前方に突出している。また、背板中央部６５ａには、第一照明基板３１のコネクタ４１を後方へ露出させるための開口部７３が設けられている。
また、背板中央部６５ａの上端部および下端部にはそれぞれ、第二照明基板３２または第三照明基板３３を係止するための断面Ｌ字状の基板係止部７５，７５が設けられている（図６参照）。
【００２８】
背板上部６５ｂの前面には、複数のリブ８０が、左右の側壁部６６それぞれから内側に延びるようにして立設されている。また、背板上部６５ｂの中央部には、後述する固定部材３５のボス１０２を挿通させるためのボス挿通孔８１が設けられている。また、背板上部６５ｂには、後述する固定部材３５の突起部１０１を挿通させるための突起部挿通孔８２が、ボス挿通孔８１を挟んで上下に離間して２つ設けられている。また、背板上部６５ｂには、第二照明基板３２のコネクタ４１を後方へ露出させるための開口部８３が設けられている。また、取付部６８の下面（背板上部６５ｂの上側）には、第二照明基板３２を係止するための係止爪８５が、背板上部６５ｂ側を向いて設けられている。また、背板上部６５ｂの背面には、固定部材３５を係止するための一対の係止爪８６，８６が上下に離間して設けられている（図６、図８参照）。
【００２９】
また、背板下部６５ｃの前面には、複数のリブ９０が、左右の側壁部６６それぞれから内側に延びるようにして立設されている。また、背板下部６５ｃの中央部には、後述する固定部材３５のボス１０２を挿通させるためのボス挿通孔９１が設けられている。また、背板下部６５ｃには、後述する固定部材３５の突起部１０１を挿通させるための突起部挿通孔９２が、ボス挿通孔９１を挟んで上下に離間して２つ設けられている。また、背板下部６５ｃには、第三照明基板３３のコネクタ４１を後方へ露出させるための開口部９３が上下に離間して２つ設けられている。また、取付部６９の上面（背板下部６５ｃの下側）には、第三照明基板３３を係止するための係止爪９５が、背板下部６５ｃ側を向いて設けられている。また、背板下部６５ｃの背面には、固定部材３５を係止するための一対の係止爪９６，９６が上下に離間して設けられている（図８参照）
【００３０】
また、図８に示すように、ベース部材３４の背面側には、ネジ孔を有するボス９９が４つ上下に離間して設けられている。そして、照明装置８は、この４つのボスのネジ孔にねじ込まれたネジによって、前扉３のベースとなる枠体に固定されている。
【００３１】
固定部材３５は、図５に示すように、後側が開口した略直方体箱状の固定部材本体１００と、２つの突起部１０１と、ネジ孔を有するボス１０２とを備えている。また、２つの突起部１０１は、固定部材本体１００の前面に、上下に離間して設けられている。また、ボス１０２は、固定部材本体１００の上下方向中央部に固定部材本体１００と一体的に設けられている。また、ボス１０２の前端面は、固定部材本体１００の前面よりも前方に突出している。そして、ボス１０２のネジ孔が前方を向いた状態となっている。また、突起部１０１の前端面は、ボス１０２の前端面よりも前方に突出している。
なお、上下の固定部材３５，３５は、同一の形状となっているが、異なる形状となっていてもよい。
【００３２】
第一照明基板３１は、ベース部材３４に直接固定されて取り付けられている（図６、図７参照）。具体的には、第一照明基板３１は、第一照明基板３１の孔４６，４６にベース部材３４の突起部７１，７１が挿通されることにより、ベース部材３４に対する位置決めがされた上で、ネジ挿通孔４５，４５に挿通されたネジ１１０，１１０が、ボス７０，７０のネジ孔にねじ込まれることにより、背板中央部６５ａに取り付けられている。また、第一照明基板３１の背面は、ボス７０の前端面およびリブ７２の前端面に当接している。また、第一照明基板３１は、背板中央部６５ａ（背板中央部６５ａの前面）に対して平行に配置されている。
【００３３】
一方、第二照明基板３２および第三照明基板３３は、図６〜８に示すように、固定部材３５に固定されることによって、ベース部材３４に取り付けられている。ここで、第二照明基板３２のベース部材３４への取り付け方について、取り付け手順とともに説明する。なお、第二照明基板３２が取り付けられる部分の構造と第三照明基板３３が取り付けられる部分の構造とは、ほぼ上下対称となっており、取り付け手順も同様であるため、第三照明基板３３の取り付け方についてはその説明を省略ないし簡略化する。
【００３４】
第二照明基板３２のベース部材３４への取り付けにおいては、まず、第二照明基板３２の下端部をベース部材３４の基板係止部７５に係止させ、次いで、第二照明基板３２の上端部をベース部材３４側（後側）へ押し込むことにより第二照明基板３２の上端部を係止爪８５に係止させる。これにより、第二照明基板３２がベース部材３４に対して仮止めされる。次いで、固定部材３５の突起部１０１，１０１を、ベース部材３４の後側からベース部材３４の突起部挿通孔８２，８２および第二照明基板３２の孔５２，５２に挿通させるとともに、固定部材３５のボス１０２を、ベース部材３４の後側からベース部材３４のボス挿通孔８１に挿通させる。また、このとき、固定部材３５をベース部材３４側（前側）に押し込むことにより、固定部材３５の上下両端部をベース部材３４の係止爪８６，８６に係止させ、ベース部材３４に対して固定部材３５を仮止めする。次いで、第二照明基板３２のネジ挿通孔５０に、第二照明基板３２の前面側からネジ１１１を挿通させ、このネジ１１１を固定部材３５のボス１０２のネジ孔にねじ込む。
以上により、第二照明基板３２が固定部材３５に対して固定される。そして、第二照明基板３２と固定部材３５とにベース部材３４が挟み込まれることにより、第二照明基板３２とベース部材３４と固定部材３５とが一体化され、第二照明基板３２がベース部材３４に固定される。
なお、上述の第二照明基板３２のベース部材３４への取り付けにおいて、第二照明基板３２をベース部材３４に仮止めする前に、固定部材３５をベース部材３４に仮止めしてもよい。また、その他の作業についても、上述の順序に従って行わなくてもよい。
【００３５】
上述の手順により一体化された第二照明基板３２と、ベース部材３４と、固定部材３５とは、背板上部６５ｂの背面が、固定部材本体１００の前面と当接し、第二照明基板３２の背面が、固定部材３５のボス１０２の前端面およびベース部材３４のリブ８０の前端面と当接した状態となっている。また、第二照明基板３２は、背板上部６５ｂ（背板上部６５ｂの前面）に対して平行に配置されている。
【００３６】
また、第三照明基板３３も第二照明基板３２と同様に、固定部材３５に対して固定されている。そして、第三照明基板３３と固定部材３５とにベース部材３４が挟み込まれることにより、第三照明基板３３とベース部材３４と固定部材３５が一体化され、第三照明基板３３がベース部材３４に固定されている。また、固定部材３５の突起部１０１，１０１は、ベース部材３４の突起部挿通孔９２，９２および第三照明基板３３の孔５６，５６に挿通されている。また、第三照明基板３３のネジ挿通孔５５に挿通されたネジ１１２が固定部材３５のボス１０２にねじ込まれている。また、背板下部６５ｃの背面は、固定部材本体１００の前面と当接している。また、第三照明基板３３の背面は、固定部材３５のボス１０２の前端面およびベース部材３４のリブ９０の前端面と当接している。また、第三照明基板３３は、背板下部６５ｃ（背板下部６５ｃの前面）に対して平行に配置されている。
【００３７】
レンズ部材３７は、図２に示すように、後側が開口した上下に長尺な箱状となっている。また、レンズ部材３７は透光性を有する合成樹脂（有色の透明の合成樹脂や、半透明の合成樹脂等）により成形されており、照明基板３１〜３３からの光に照らされて光るようになっている。また、レンズ部材３７は、ベース部材３４および照明基板３１〜３３の前面側を覆った状態となっている。具体的には、レンズ部材３７は、ベース部材３４と照明基板３１〜３３との前面側および外側面（右側の側面）側とを覆った状態となっている。また、レンズ部材３７は、その上端部および下端部がそれぞれ、ベース部材３４の取付部６８，６９に対してネジ止めされてベース部材３４に固定されている。
また、レンズ部材３７は、ベース部材３４と同様に、側面視において、上下方向中央部が後方に向かうように湾曲した形状となっている。また、レンズ部材３７は、その前面側に凹凸部１２０を有しており、この凹凸部１２０が遊技機の外観を装飾する模様となっている。
【００３８】
飾り部材３８，３９は、透光性を有しない合成樹脂により成形されており、遊技機の外観を装飾する部材となっている。また、飾り部材３８は、レンズ部材３７の上端部と取付部６８とを遊技者から見えないように覆う形状となっており、飾り部材３９は、レンズ部材３７の下端部と取付部６９とを遊技者から見えないように覆う形状となっている。また、飾り部材３８，３９は、それぞれレンズ部材３７の上端部または下端部にネジ止めにより固定されている。
【００３９】
以上のように、第一照明基板３１は背板中央部６５ａ（背板中央部６５ａの前面）に固定され、第二照明基板３２は背板上部６５ｂ（背板上部６５ｂの前面）に固定され、第三照明基板３３は背板下部６５ｃ（背板下部６５ｃの前面）に固定される。また、背板中央部６５ａと背板上部６５ｂと背板下部６５ｃとは、互いに面方向が交差している。すなわち、第一照明基板３１が固定される面を第一の平面とし、第二照明基板３２が固定される面を第二の平面とし、第三照明基板３３が固定される面を第三の平面とすると、第一の平面と第二の平面と第三の平面とは互いに面方向が交差している。したがって、例えば、第二の平面に第二照明基板３２を固定するためのボスを設けることとすると、当該ボスは、前方斜め下方にむけて突出させる必要がある。また、第三の平面に第三照明基板３３を固定するためのボスを設けることとすると、当該ボスは、前方斜め上方にむけて突出させる必要がある。しかし、このようなボスを設けることとすると、第一の平面に設けられたボス７０と突出方向が違ってきてしまうこととなる。そうすると、ベース部材３４を金型により成形する際に、金型をボス７０の突出方向に抜くといったことができず、ベース部材３４がうまく成形することができないおそれがある。
【００４０】
本構成によれば、ベース部材３４に設けられる電子部品のうち、第二の平面に設けられる第二照明基板３２は、固定部材３５に固定されることによって、第二の平面に対して固定される。よって、第二の平面については、電子部品を固定するためのボス等を設ける必要がなくなる。したがって、ベース部材３４を互いに面方向が交差する複数の平面を有するような所望の形状にしつつ、ベース部材３４の所望の位置に電子部品を設けることができる。具体的には、照明装置８を、側面視において、上下方向中央部が後方に向かうように湾曲した特徴的な形状とし、これに合うように、ベース部材３４を湾曲した形状とすることができる。また、ベース部材３４が、互いに面方向が交差する複数の平面を有していることにより、照明基板３１〜３３を、照明装置８の湾曲した形状に沿うように配置することができ、湾曲する照明装置８を適切に光らせることができる。また、ベース部材３４が複数の平面を有し、各照明基板３１〜３３がそれぞれ平面に配置されるようになっているので、各照明基板３１〜３３をリジッド基板等の硬い平板状の基板にしつつ、安定した状態でベース部材３４に固定することができる。なお、照明基板３１〜３３には、フレキシブル基板等を用いてもよい。
なお、第一の平面についても、第一照明基板３１が固定部材３５に固定されることによって固定されていてもよい。
【００４１】
なお、背板６５は、曲面状となっており、この曲面に照明基板３１〜３３が設けられるようになっていてもよい。すなわち、背板６５は、側壁部６６と同様に湾曲した形状となっていてもよい。このような場合であっても、従来であれば、本実施の形態のスロットマシンＸのように照明基板３１〜３３をそれぞれ異なる方向を向くように配置しようとすると、異なる方向に突出する複数のボス等が必要となる。しかし、本実施の形態の構成によれば、曲面に設けられる電子部品のうち、ボス等を設けることができない部分に固定される電子部品については、固定部材３５を用いて固定することが可能となる。したがって、ベース部材３４の電子部品が配置される部分を曲面を有する形状にしつつ、当該ベース部材の所望の位置に電子部品を固定することができる。
【００４２】
なお、ベース部材３４に固定される電子部品は、照明基板３１〜３３等の電子回路基板に限らず、例えば、スピーカーやモーター等のその他の電子部品であってもよい。
【符号の説明】
【００４３】
８  照明装置
３１  第一照明基板（第一の電子部品）
３２  第二照明基板（第二の電子部品）
３３  第三照明基板（第三の電子部品）
３４  ベース部材
３５  固定部材
６５ａ  背板中央部（第一の平面）
６５ｂ  背板上部（第二の平面）
６５ｃ  背板下部（第三の平面）
Ｘ  スロットマシン
【図１】
2019080669.tif 000003
【図２】
2019080669.tif 000004
【図３】
2019080669.tif 000005
【図４】
2019080669.tif 000006
【図５】
2019080669.tif 000007
【図６】
2019080669.tif 000008
【図７】
2019080669.tif 000009
【図８】
2019080669.tif 000010